(57)【要約】【課題】移動局装置において受信処理を効率良く行って無駄な電力消費を抑えること。【解決手段】  シグナリング検出部７１が、逆拡散後のＤＰＣＨに含まれるシグナリングから、上り回線のコンプレストモードのギャップ区間、すなわち上り回線信号が基地局へ送信されない区間を検出し、その区間を制御部７２に知らせ、制御部７２が、シグナリング検出部７１で検出された区間にＡＣＫ信号／ＮＡＣＫ信号の送信タイミングが含まれる場合は、そのＡＣＫ信号／ＮＡＣＫ信号に対応するパケットデータに対する受信処理を停止するようにＨＳ−ＰＤＳＣＨ受信処理部４０を制御する。【選択図】図１
2006109519.tif 000002
【特許請求の範囲】
【請求項１】
下りデータチャネルの復調、復号、および誤り検出を含む第１受信処理を行う第１受信手段と、
前記第１受信処理に必要な制御情報を伝送する下り制御チャネルの復調および復号を含む第２受信処理を行う第２受信手段と、
前記第１受信手段における誤り検出に対する応答信号を上り制御チャネルを介して基地局装置へ送信する送信手段と、
前記応答信号の送信タイミングに基づいて、前記第１受信処理、前記第２受信処理および前記送信手段における前記応答信号の送信処理の少なくともいずれか１つを停止させる制御手段と、
を具備することを特徴とする移動局装置。
【請求項２】
上り回線信号が前記基地局装置へ送信されない区間を検出する検出手段、をさらに具備し、
前記制御手段は、検出された区間に前記応答信号の送信タイミングが含まれる場合は、その応答信号に対応する下りデータチャネルのサブフレームの前記第１受信処理および／またはそのサブフレームの受信に必要な制御情報を伝送する下り制御チャネルのサブフレームの前記第２受信処理を停止させる、
ことを特徴とする請求項１記載の移動局装置。
【請求項３】
前記制御手段は、前記送信手段が下りデータチャネルの同一のサブフレームに対する前記応答信号を繰り返し送信する場合は、２回目以降の送信回数に相当する下りデータチャネルのサブフレームの前記第１受信処理および／またはそのサブフレームの受信に必要な制御情報を伝送する下り制御チャネルのサブフレームの前記第２受信処理を停止させる、
ことを特徴とする請求項１記載の移動局装置。
【請求項４】
前記応答信号の送信先が前記基地局装置から他の基地局装置へ切り替わる切替タイミングを検出する検出手段、をさらに具備し、
前記制御手段は、検出された切替タイミングが下りデータチャネルのサブフレームの受信開始タイミングとそのサブフレームに対応する応答信号の送信終了タイミングとの間にある場合は、そのサブフレームの前記第１受信処理および／またはそのサブフレームの受信に必要な制御情報を伝送する下り制御チャネルのサブフレームの前記第２受信処理を停止させる、
ことを特徴とする請求項１記載の移動局装置。
【請求項５】
前記応答信号の送信先が前記基地局装置から他の基地局装置へ切り替わる切替タイミングを検出する検出手段、をさらに具備し、
前記制御手段は、検出された切替タイミングが下りデータチャネルのサブフレームの受信開始タイミングとそのサブフレームに対応する応答信号の送信終了タイミングとの間にある場合は、その応答信号の送信処理を停止させる、
ことを特徴とする請求項１記載の移動局装置。
【請求項６】
下りデータチャネルの復調、復号、および誤り検出を含む第１受信処理を行う第１受信工程と、
前記下りデータチャネルの受信に必要な制御情報を伝送する下り制御チャネルの復調および復号を含む第２受信処理を行う第２受信工程と、
前記第１受信工程における誤り検出に対する応答信号を上り制御チャネルを介して前記基地局装置へ送信する送信工程と、
前記応答信号の送信タイミングに基づいて、前記第１受信処理、前記第２受信処理および前記送信工程における前記応答信号の送信処理の少なくともいずれか１つを停止させる制御工程と、
を具備することを特徴とする移動局装置における受信方法。
【発明の詳細な説明】
【技術分野】
【０００１】
本発明は、移動局装置および移動局装置における受信方法に関する。
【背景技術】
【０００２】
現在、移動体通信システムにおいては、移動局装置（以下、移動局と省略する）と基地局装置（以下、基地局と省略する）との間のデータ伝送に対するＨＳＤＰＡ（High Speed Downlink Packet Access）技術の適用に関し様々な検討が行われている。ＨＳＤＰＡは、３ＧＰＰ（3rd Generation Partnership Project）において標準化が進められている技術である。ＨＳＤＰＡでは、適応変調やＨ−ＡＲＱ（Hybrid Automatic Repeat reQuest）、通信先移動局の高速選択、無線回線の状況に応じた伝送パラメータの適応制御等を用いることにより、基地局から移動局への下り回線のスループットの増大を実現している。
【０００３】
ＨＳＤＰＡにおいて使用される主なチャネルとしてＨＳ−ＳＣＣＨ（Shared Control Channel for HS-DSCH, HS-DSCH:High Speed Downlink Shared Channel）、ＨＳ−ＰＤＳＣＨ（High Speed Physical Downlink Shared Channel）およびＨＳ−ＤＰＣＣＨ（Dedicated Physical Control Channel (uplink) for HS-DSCH）等を挙げることができる。ＨＳ−ＳＣＣＨは、３スロットからなるサブフレームで構成される下りの制御チャネルであり、ＨＳ−ＳＣＣＨを介して基地局から移動局へ、ＨＳ−ＰＤＳＣＨの変調方式、マルチコード数、トランスポートブロックサイズ等を示す制御情報が伝送される。ＨＳ−ＰＤＳＣＨは、３スロットからなるサブフレームで構成され、パケットデータを伝送するための下りのデータチャネルである。ＨＳ−ＤＰＣＣＨは、３スロットからなるサブフレームで構成され、ＨＳ−ＰＤＳＣＨに関するフィードバック信号を送信する上りの制御チャネルである。ＨＳ−ＤＰＣＣＨのサブフレームにおいて、第１スロットではＨ−ＡＲＱのＡＣＫ（ACKnowledgment：肯定応答）信号／ＮＡＣＫ（Negative ACKnowledgment：否定応答）信号が送信され、第２スロットおよび第３スロットでは下り回線のＣＱＩ（Channel Quality Indicator：伝送品質報告値）が送信される。Ｈ−ＡＲＱのＡＣＫ信号／ＮＡＣＫ信号については、そのＨＳ−ＤＰＣＣＨに対応するＨＳ−ＰＤＳＣＨの復号結果に誤りがなくＯＫであればＡＣＫ信号が、誤りがありＮＧであればＮＡＣＫ信号がＨＳＤＰＡサービスを提供するセル（ＨＳＤＰＡサービングセル）の基地局に伝送される。また、ＣＱＩは品質参照区間（Reference Measurement Period）における下り回線の伝送品質をＨＳＤＰＡサービングセルの基地局に報告するためのものであり、通常は伝送品質に応じた番号で示され、各番号がその伝送品質において移動局が復調可能な変調方式と符号化率等の組合せを示している。基地局は、このＣＱＩに基づいてスケジューリングを行ってＨＳ−ＰＤＳＣＨの送信先となる移動局を決定し、その移動局に対しＣＱＩに基づいた伝送レートでＨＳ−ＰＤＳＣＨのパケットデータを送信する。なお、これらの各チャネルの構成は例えば非特許文献１に記載されている。
【０００４】
以下、移動局での従来のＨＳ−ＰＤＳＣＨの受信処理について説明する。
（１）移動局は上位レイヤから指示されたＨＳ−ＳＣＣＨセットを受信して監視する。ＨＳ−ＳＣＣＨセットには複数のＨＳ−ＳＣＣＨが含まれており、移動局はこれらのＨＳ−ＳＣＣＨの中に自局宛てのＨＳ−ＳＣＣＨがあるか監視する。ＨＳＤＰＡサービングセルに複数の移動局が存在する場合、ＨＳ−ＳＣＣＨセット内の各ＨＳ−ＳＣＣＨでは、各ＨＳ−ＳＣＣＨがそれぞれどの移動局宛てであるかという情報も符号化されて送信されるので、各移動局は、受信した複数のＨＳ−ＳＣＣＨの中から自局宛てのＨＳ−ＳＣＣＨを検出することができる。
（２）移動局は、ＨＳ−ＳＣＣＨセットの中から自局宛てのＨＳ−ＳＣＣＨを検出した場合、そのＨＳ−ＳＣＣＨで送信される制御情報で示されるＨＳ−ＰＤＳＣＨの受信を開始する。自局宛てのＨＳ−ＳＣＣＨを検出しない場合は、移動局はＨＳ−ＰＤＳＣＨの受信を行わない。なお、制御情報には、そのＨＳ−ＳＣＣＨがどの移動局宛てであるかという情報の他に、ＨＳ−ＰＤＳＣＨの受信に必要な情報としてＨＳ−ＰＤＳＣＨの変調方式、マルチコード数、トランスポートブロックサイズ等が含まれている。
（３）移動局は、受信したＨＳ−ＰＤＳＣＨに対して復調、復号、誤り検出（ＣＲＣ：Cyclic Redundancy Check）を行う。
（４）移動局は、誤り検出の結果、誤りがなくＯＫであればＡＣＫ信号を、誤りがあってＮＧであればＮＡＣＫ信号を誤り検出に対する応答信号としてＨＳＤＰＡサービングセルの基地局へ送信する。このとき移動局は、上位レイヤからのシグナリング（N#acknack#transmit）により指定された回数分のＡＣＫ信号／ＮＡＣＫ信号を繰り返し送信する。なお、ＡＲＱ方式としてＨＳＤＰＡではＨ−ＡＲＱを使用する。以上のような移動局の受信処理については、例えば非特許文献２に記載されている。
【非特許文献１】3GPP TS 25.211 V5.4.0（3rd Generation Partnership Project; Technical Specification Group Radio Access Network; Physical channels and mapping of transport channels onto physical channels(FDD）（Release 5））
【非特許文献２】3GPP TS 25.214 V5.5.0（3rd Generation Partnership Project; Technical Specification Group Radio Access Network; Physical layer procedures(FDD）（Release 5））
【発明の開示】
【発明が解決しようとする課題】
【０００５】
ここでＨＳＤＰＡサービスを受ける移動局に対する上位レイヤからのシグナリングは、ＡＣＫ信号／ＮＡＣＫ信号の繰り返し送信回数の他にも、コンプレストモードのギャップタイミング（開始タイミングおよびギャップの長さ）、ＨＳＤＰＡサービングセルの切替タイミング、ＨＳＤＰＡサービングセルの基地局の送信ダイバーシチモードの切替タイミング等を対象とする。
【０００６】
従来の移動局では、これらのシグナリングを検知するものの、このシグナリングの情報を考慮することなくＨＳ−ＳＣＣＨおよびＨＳ−ＰＤＳＣＨの受信、ＡＣＫ信号／ＮＡＣＫ信号の送信を行っていたため受信処理や送信処理の効率が悪く、その結果無駄な電力を消費していた。
【０００７】
本発明はかかる点に鑑みてなされたものであり、受信処理を効率良く行って無駄な電力消費を抑えることができる移動局装置および移動局装置における受信方法を提供することを目的とする。
【課題を解決するための手段】
【０００８】
本発明の移動局装置は、下りデータチャネルの復調、復号、および誤り検出を含む第１受信処理を行う第１受信手段と、前記下りデータチャネルの受信に必要な制御情報を伝送する下り制御チャネルの復調および復号を含む第２受信処理を行う第２受信手段と、前記第１受信手段における誤り検出に対する応答信号を上り制御チャネルを介して前記基地局装置へ送信する送信手段と、前記応答信号の送信タイミングに基づいて、前記第１受信処理、前記第２受信処理および前記送信手段における前記応答信号の送信処理の少なくともいずれか１つを停止させる制御手段と、を具備する構成を採る。
【０００９】
この構成によれば、応答信号（ＡＣＫ信号／ＮＡＣＫ信号）の送信タイミングに基づいて、第１受信処理、第２受信処理および応答信号の送信処理の少なくともいずれか１つを停止させるため、受信処理および送信処理を効率良く行うことができる。
【発明の効果】
【００１０】
本発明によれば、移動局装置の無駄な電力消費を抑えることができる。
【発明を実施するための最良の形態】
【００１１】
以下、本発明の実施の形態について、図面を参照して詳細に説明する。
【００１２】
（実施の形態１）
上記のように移動局に対しては上位レイヤからコンプレストモードのギャップタイミングを通知するシグナリングがなされる。ここで、コンプレストモードとは、拡散率を一時的に下げること等によってスロット間やフレーム間に所定の空き区間（ギャップ区間）を設ける方式をいう。上り回線のコンプレストモードのギャップ区間では、基地局はＤＰＣＨが割り当てられている移動局からの上り回線信号を受信しないため、その移動局は基地局へ上り回線信号を送信しない。よってＨＳＤＰＡにおいては、上り回線のコンプレストモードのギャップ区間では、ＨＳＤＰＡサービングセルの基地局はＤＰＣＨが割り当てられている移動局からのＨＳ−ＤＰＣＣＨも受信しないので、移動局はＨＳ−ＤＰＣＣＨでのＡＣＫ信号／ＮＡＣＫ信号の送信を行わない。
【００１３】
ここで、ＨＳＤＰＡサービングセルの基地局は、ＨＳ−ＰＤＳＣＨでパケットデータを送信してから所定の時間経過してもそのパケットデータに対するＡＣＫ信号／ＮＡＣＫ信号を移動局から受信しない場合は、伝送路中においてパケットロスが生じたとみなしてパケットデータの再送を行う。再送方式としてはＨ−ＡＲＱが使用される。上記のように、上り回線でのコンプレストモードのギャップ区間では、ＨＳ−ＤＰＣＣＨでのＡＣＫ信号／ＮＡＣＫ信号の送信が行われないため、ＨＳＤＰＡサービングセルの基地局は移動局に対してパケットデータを再送する。よって、移動局ではＡＣＫ信号／ＮＡＣＫ信号の送信を行わないパケットデータを失っても、そのパケットデータは再送されるため、パケットロスという点からは特に問題ない。そこで本実施の形態に係る移動局では、ＡＣＫ信号／ＮＡＣＫ信号の送信を行わないパケットデータの受信処理をそもそも停止して、消費電力の低減を図るようにした。以下、本実施の形態に係る移動局について説明する。
【００１４】
図１は、本発明の実施の形態１に係る移動局の構成を示すブロック図である。図１に示す移動局において、基地局から送信された信号はアンテナ１０、共用器２０を介して受信部３０にて受信され、受信部３０は、その受信信号に対してダウンコンバート等の所定の無線処理を施す。無線処理後の受信信号はＨＳ−ＰＤＳＣＨ受信処理部４０、ＨＳ−ＳＣＣＨ受信処理部５０、ＣＰＩＣＨ（Common Pilot Channel）逆拡散部６０、ＤＰＣＨ逆拡散部７０にそれぞれ入力される。受信信号には、ＨＳ−ＰＤＳＣＨ信号、ＨＳ−ＳＣＣＨ信号、ＣＰＩＣＨ信号、ＤＰＣＨ信号が含まれている。
【００１５】
ＨＳ−ＳＣＣＨ受信処理部５０は、逆拡散部５０１、復調部５０２、復号部５０３、判定部５０４を含み、基地局から送信されるＨＳ−ＳＣＣＨに対する受信処理を行う。ＨＳ−ＳＣＣＨでは、複数のＨＳ−ＳＣＣＨが１セット（ＨＳ−ＳＣＣＨセット）となっている。また、各ＨＳ−ＳＣＣＨには、各々のＨＳ−ＳＣＣＨがどの移動局宛てであるかという情報の他に、ＨＳ−ＰＤＳＣＨで伝送されるパケットデータの受信に必要な情報としてＨＳ−ＰＤＳＣＨの変調方式、マルチコード数、トランスポートブロックサイズ等が含まれている制御情報が伝送される。逆拡散部５０１はＨＳ−ＳＣＣＨセットに含まれるそれぞれのＨＳ−ＳＣＣＨに対して所定の拡散コードで逆拡散を行う。逆拡散後の各ＨＳ−ＳＣＣＨは、復調部５０２で復調され、復号部５０３で復号され、復号結果が判定部５０４に入力される。判定部５０４は、入力された復号結果に基づき、ＨＳ−ＳＣＣＨセットに含まれる複数のＨＳ−ＳＣＣＨの中に自局宛てのＨＳ−ＳＣＣＨがあるかどうか判定する。判定の結果、自局宛てのＨＳ−ＳＣＣＨがあれば、判定部５０４は、その自局宛てのＨＳ−ＳＣＣＨの制御情報で示されるマルチコード数等の拡散コード情報を逆拡散部４０１に、変調方式等の変調方式情報を復調部４０２に、トランスポートブロックサイズ等の符号化情報を復号部４０３にそれぞれ送る。
【００１６】
ＨＳ−ＰＤＳＣＨ受信処理部４０は、逆拡散部４０１、復調部４０２、復号部４０３、誤り検出部４０４を含み、基地局から送信されるＨＳ−ＰＤＳＣＨに対する受信処理を行う。ＨＳ−ＰＤＳＣＨでは、情報ビットからなるパケットデータが伝送される。逆拡散部４０１は、判定部５０４から指示された拡散コード情報に基づいて、ＨＳ−ＰＤＳＣＨに対して逆拡散を行う。逆拡散後のＨＳ−ＰＤＳＣＨは、判定部５０４から指示された変調方式情報に基づいて復調部４０２で復調され、判定部５０４から指示された符号化情報に基づいて復号部４０３で復号され、復号結果（パケットデータ）が誤り検出部４０４に入力される。誤り検出部４０４は、入力されたパケットデータに対しＣＲＣ等の誤り検出を行う。そして誤り検出部４０４は、誤り検出結果に基づいてＡＣＫ信号またはＮＡＣＫ信号を作成して送信部８０に入力する。誤り検出部４０４は、パケットデータに誤りがなくＯＫの場合はＡＣＫ信号を、誤りがありＮＧの場合はＮＡＣＫ信号を誤り検出に対する応答信号として作成し、送信部８０に入力する。送信部８０は、制御部７２の制御の下、ＡＣＫ信号／ＮＡＣＫ信号をＨＳ−ＤＰＣＣＨを介して基地局へ送信する。
【００１７】
ＣＰＩＣＨ逆拡散部６０は、ＣＰＩＣＨに対して所定の拡散コードで逆拡散を行う。ＣＰＩＣＨではパイロット信号が伝送される。逆拡散後のＣＰＩＣＨは、ＳＩＲ測定部６１に入力される。ＳＩＲ測定部６１は、パイロット信号の受信品質としてＳＩＲ（Signal to Interference Ratio）を測定し、測定したＳＩＲ値をＣＱＩ選択部６２に入力する。ＣＱＩ選択部６２は、複数のＳＩＲ値に複数のＣＱＩが対応づけて設定されているテーブルを有し、そのテーブルを参照して、ＳＩＲ測定部６１から入力されたＳＩＲ値に対応するＣＱＩを選択し、選択したＣＱＩを送信部８０に入力する。パイロット信号の受信ＳＩＲ値は下り回線の伝送品質を表しているため、ＳＩＲ値が大きいほど高い伝送レートに対応するＣＱＩが選択される。送信部８０は、入力されたＣＱＩをＨＳ−ＤＰＣＣＨを介して基地局へ送信する。
【００１８】
ＤＰＣＨ逆拡散部７０は、ＤＰＣＨに対して所定の拡散コードで逆拡散を行う。ＤＰＣＨでは、上位レイヤからのシグナリングが伝送される。このシグナリングで移動局は、ＡＣＫ信号／ＮＡＣＫ信号の繰り返し送信回数、上り回線のコンプレストモードのギャップタイミング（開始タイミングおよびギャップの長さ）、ＨＳＤＰＡサービングセルの切替タイミング、ＨＳＤＰＡサービングセルの基地局の送信ダイバーシチモードの切替タイミング等を通知される。逆拡散後のＤＰＣＨはシグナリング検出部７１に入力され、シグナリング検出部７１は、逆拡散後のＤＰＣＨに含まれる上記シグナリングから、上り回線のコンプレストモードのギャップ区間、すなわち上り回線信号が基地局へ送信されない区間を検出し、その区間を制御部７２に知らせる。
【００１９】
制御部７２は、シグナリング検出部７１で検出された区間にＡＣＫ信号／ＮＡＣＫ信号の送信タイミングが含まれる場合は、そのＡＣＫ信号／ＮＡＣＫ信号に対応するパケットデータに対する受信処理を停止するようにＨＳ−ＰＤＳＣＨ受信処理部４０を制御する。すなわち、制御部７２は、そのＡＣＫ信号／ＮＡＣＫ信号に対応するパケットデータを伝送するＨＳ−ＰＤＳＣＨのサブフレームの受信処理を停止させる。また、パケットデータの受信を行わない場合には、そのパケットデータに対するＨＳ−ＳＣＣＨの制御情報も必要ないため、制御部７２は、受信処理を停止させたパケットデータの受信処理に必要であった制御情報に対する受信処理を停止するようにＨＳ−ＳＣＣＨ受信処理部５０を制御する。すなわち、制御部７２は、その制御情報を伝送するＨＳ−ＳＣＣＨのサブフレームの受信処理も停止させる。
【００２０】
なお、受信処理の停止にあたっては、ＨＳ−ＰＤＳＣＨ受信処理部４０において逆拡散、復調、復号、誤り検出のすべての処理を停止しても良いし、いずれか１つまたは複数を停止してもよい。同様に、ＨＳ−ＳＣＣＨ受信処理部５０において逆拡散、復調、復号、判定のすべての処理を停止しても良いし、いずれか１つまたは複数を停止してもよい。さらに、上記構成では、ＨＳ−ＰＤＳＣＨの受信処理およびＨＳ−ＳＣＣＨの受信処理の双方を停止させるようにしたが、どちらか一方だけを停止させるようにしてもよい。以下の実施の形態でも同様である。
【００２１】
次いで、本実施の形態に係る移動局の動作フローについて図２を用いて説明する。ＨＳＤＰＡが開始されると、移動局はＨＳＤＰＡが終了するまでの間、ステップ（以下ＳＴと省略する）１０からＳＴ２０までの一連の処理（ＨＳ−ＳＣＣＨ監視ループ）を繰り返す。ＨＳ−ＳＣＣＨ監視ループでは、移動局は上位レイヤから指示されたＨＳ−ＳＣＣＨセットを受信して監視する。すなわち、移動局は、ＨＳ−ＳＣＣＨセットに含まれる複数のＨＳ−ＳＣＣＨを復号し（ＳＴ３１）、これらのＨＳ−ＳＣＣＨの中に自局宛てのＨＳ−ＳＣＣＨがあるかどうか監視する（ＳＴ３２）。そして、自局宛てのＨＳ−ＳＣＣＨがない場合（ＳＴ３２：ＮＯの場合）はＳＴ２０に進みＨＳ−ＳＣＣＨの監視を引き続き行う。一方、自局宛てのＨＳ−ＳＣＣＨがある場合（ＳＴ３２：ＹＥＳの場合）は、その自局宛てのＨＳ−ＳＣＣＨで伝送された制御情報に従ってＨＳ−ＰＤＳＣＨを復号し（ＳＴ３３）、復号結果のパケットデータに対してＣＲＣを行う（ＳＴ３４）。そして、ＣＲＣ結果に基づいて作成したＡＣＫ信号またはＮＡＣＫ信号をＨＳＰＤＡサービングセルの基地局に送信する（ＳＴ４０）。なお、図２のフロー図ではＳＴ３１〜ＳＴ３４でＨＳ−ＳＣＣＨおよびＨＳ−ＰＤＳＣＨの受信処理（ＳＴ３０）が構成されている。
【００２２】
一方、移動局は、ＳＴ３０の処理と並行して、ＳＴ５０〜ＳＴ７０の処理を行う。すなわち、上位レイヤからのシグナリングによって上り回線のコンプレストモードのギャップタイミングを検出する（ＳＴ５０）。そして、ＡＣＫ信号／ＮＡＣＫ信号の送信タイミングがコンプレストモードのギャップ区間に重なる場合、すなわち、コンプレストモードのギャップ区間にＡＣＫ信号／ＮＡＣＫ信号の送信タイミングが含まれる場合（ＳＴ６０：ＹＥＳの場合）は、ＳＴ３０の一連の受信処理を停止する（ＳＴ７０）。受信処理停止後、ＳＴ２０に進みＨＳ−ＳＣＣＨの監視を引き続き行う。なお、ＡＣＫ信号／ＮＡＣＫ信号の送信タイミングがコンプレストモードのギャップ区間に重ならない場合（ＳＴ６０：ＮＯの場合）は、受信処理を停止することなくＳＴ２０に進みＨＳ−ＳＣＣＨの監視を引き続き行う。
【００２３】
次いで、本実施の形態に係る移動局で送受する各チャネルの送受信タイミングの関係について図３を用いて説明する。ＨＳ−ＳＣＣＨのサブフレームおよびＨＳ−ＰＤＳＣＨのサブフレームはそれぞれ３スロットで構成される。ＨＳ−ＰＤＳＣＨとそのＨＳ−ＰＤＳＣＨに対応するＨＳ−ＳＣＣＨ（そのＨＳ−ＰＤＳＣＨの受信に必要な制御情報を伝送するＨＳ−ＳＣＣＨ）との関係は、ＨＳ−ＰＤＳＣＨのサブフレームの先頭スロットとＨＳ−ＳＣＣＨのサブフレームの最終スロットとが重なる。つまり、ＨＳ−ＳＣＣＨのサブフレームの受信終了タイミング１スロット前のタイミングで、そのＨＳ−ＳＣＣＨに対応するＨＳ−ＰＤＳＣＨのサブフレームの受信が開始される。そして、ＨＳ−ＰＤＳＣＨのサブフレームの受信終了タイミングから約７.５スロット後のタイミングで、ＨＳ−ＤＰＣＣＨのサブフレームを用いてＨＳ−ＰＤＳＣＨのサブフレームに対するＡＣＫ信号またはＮＡＣＫ信号が送信される。また、移動局はＨＳ−ＳＣＣＨおよびＨＳ−ＰＤＳＣＨの受信と並行して、上位レイヤからのシグナリングによって上り回線（図３では上りＤＰＣＨ）のコンプレストモードのギャップ区間を検出する。そして、そのギャップ区間に送信タイミングがあるＡＣＫ信号／ＮＡＣＫ信号に対応するＨＳ−ＰＤＳＣＨの受信処理を停止する。つまり、コンプレストモードのギャップ区間に送信タイミングがあるＡＣＫ信号／ＮＡＣＫ信号の送信開始タイミングの約７.５スロット前に受信終了タイミングがあるＨＳ−ＰＤＳＣＨのサブフレームの受信処理を停止する。さらに、受信処理を停止させたＨＳ−ＰＤＳＣＨに対応するＨＳ−ＳＣＣＨの受信処理も停止する。すなわち、受信処理を停止させたＨＳ−ＰＤＳＣＨのサブフレームの先頭スロットと重なる最終スロットを持つＨＳ−ＳＣＣＨのサブフレームの受信処理も停止する。
【００２４】
このように、本実施の形態によれば、ＨＳ−ＳＣＣＨおよびＨＳ−ＰＤＳＣＨの無駄な受信処理を停止するため、移動局の無駄な電力消費を抑えて消費電力を削減することができる。
【００２５】
（実施の形態２）
ＨＳＤＰＡでは、移動局は、ＨＳ−ＰＤＳＣＨの同一のサブフレームに対して上位レイヤからのシグナリングにより指定された回数分のＡＣＫ信号／ＮＡＣＫ信号を複数回繰り返し送信することがある。ＡＣＫ信号／ＮＡＣＫ信号が繰り返し送信される場合は、その移動局は、一度ＨＳ−ＰＤＳＣＨが割り当てられた後はＨＳ−ＰＤＳＣＨの復号は行わない。このことは、３ＧＰＰにおいて規定されている。そこで本実施の形態に係る移動局では、ＨＳ−ＰＤＳＣＨの同一のサブフレームに対してＡＣＫ信号／ＮＡＣＫ信号を複数回繰り返し送信する場合は、一度自局宛てのＨＳ−ＰＤＳＣＨの受信処理を行った後、２回目以降の繰り返し回数に相当する分のＨＳ−ＰＤＳＣＨおよびそのＨＳ−ＰＤＳＣＨに対応するＨＳ−ＳＣＣＨの受信処理をそもそも停止して、消費電力の低減を図るようにした。以下、本実施の形態に係る移動局について説明する。
【００２６】
まず、本実施の形態に係る移動局の構成について再び図１を用いて説明する。なお、実施の形態１と相違する部分についてのみ説明する。図１において、逆拡散後のＤＰＣＨはシグナリング検出部７１に入力され、シグナリング検出部７１は、逆拡散後のＤＰＣＨに含まれる上記シグナリングから、ＡＣＫ信号／ＮＡＣＫ信号の繰り返し送信回数（以下、繰り返し回数と省略する）を検出し、その繰り返し回数を制御部７２に知らせる。
【００２７】
制御部７２は、その繰り返し回数を送信部８０に知らせる。送信部８０は制御部７２から通知された繰り返し回数だけ、誤り検出部４０４から入力されたＡＣＫ信号／ＮＡＣＫ信号を繰り返し送信する。つまり、ＨＳ−ＰＤＳＣＨの同一のサブフレームに対するＡＣＫ信号／ＮＡＣＫ信号を繰り返し送信する。
【００２８】
また、制御部７２は、繰り返し回数のうち２回目以降の回数に相当する分だけ、ＨＳ−ＰＤＳＣＨのサブフレームに対する受信処理を停止するようにＨＳ−ＰＤＳＣＨ受信処理部４０を制御する。例えば、繰り返し回数が２回（N#acknack#transmit=2）の場合は、制御部７２はＨＳ−ＰＤＳＣＨ受信処理部４０に対して、１回目のＡＣＫ信号／ＮＡＣＫ信号に対応するサブフレームの受信処理を行わせた後、次の１サブフレーム区間での受信処理を停止させる。また、ＨＳ−ＰＤＳＣＨでパケットデータの受信を行わない場合には、そのパケットデータに対するＨＳ−ＳＣＣＨの制御情報も必要ないため、制御部７２は、受信処理を停止させたパケットデータの受信処理に必要であった制御情報に対する受信処理を停止するようにＨＳ−ＳＣＣＨ受信処理部５０を制御する。すなわち、制御部７２は、その制御情報を伝送するＨＳ−ＳＣＣＨのサブフレームの受信処理も停止させる。
【００２９】
次いで、本実施の形態に係る移動局の動作フローについて図４を用いて説明する。但し、実施の形態１と同一のステップには同一の符号をつけて説明を省略する。移動局は、ＣＲＣ結果に基づいてＡＣＫ信号またはＮＡＣＫ信号をＨＳＰＤＡサービングセルの基地局に送信する（ＳＴ４１）。この際、移動局は上位レイヤからのシグナリングにより指定された回数分のＡＣＫ信号またはＮＡＣＫ信号を繰り返し送信する。例えば、繰り返し回数を２回と指定された場合、ＨＳ−ＰＤＳＣＨの同一のサブフレームに対してＡＣＫ信号／ＮＡＣＫ信号の送信が２回繰り返される。
【００３０】
一方、移動局は、ＳＴ３０の処理と並行して、ＳＴ５１〜ＳＴ７１の処理を行い、上位レイヤからシグナリングされた繰り返し回数（N#acknack#transmit）に基づいて、ＨＳ−ＰＤＳＣＨおよびＨＳ−ＳＣＣＨの受信処理を停止する。すわわち、移動局は、まず、上位レイヤからのシグナリングによる繰り返し回数（N#acknack#transmit）を検出する（ＳＴ５１）。そして、２回目以降の回数に相当する分のサブフレーム区間だけ、ＳＴ３０の一連の受信処理を停止する（ＳＴ７１）。受信処理停止後、ＳＴ２０に進みＨＳ−ＳＣＣＨの監視を引き続き行う。
【００３１】
次いで、本実施の形態に係る移動局で送受する各チャネルの送受信タイミングの関係について図５を用いて説明する。ＨＳ−ＳＣＣＨのサブフレームおよびＨＳ−ＰＤＳＣＨのサブフレームはそれぞれ３スロットで構成される。ＨＳ−ＰＤＳＣＨとそのＨＳ−ＰＤＳＣＨに対応するＨＳ−ＳＣＣＨとの関係は、ＨＳ−ＰＤＳＣＨのサブフレームの先頭スロットとＨＳ−ＳＣＣＨのサブフレームの最終スロットとが重なる。つまり、ＨＳ−ＳＣＣＨのサブフレームの受信終了タイミング１スロット前のタイミングで、そのＨＳ−ＳＣＣＨに対応するＨＳ−ＰＤＳＣＨのサブフレームの受信が開始される。そして、ＨＳ−ＰＤＳＣＨのサブフレームの受信終了タイミングから約７.５スロット後のタイミングで、ＨＳ−ＤＰＣＣＨのサブフレームを用いてＨＳ−ＰＤＳＣＨのサブフレームに対するＡＣＫ信号またはＮＡＣＫ信号が送信される。このとき、例えば繰り返し回数が２回の場合は、ＨＳ−ＤＰＣＣＨの次のサブフレームでも同一のＡＣＫ信号またはＮＡＣＫ信号が繰り返し送信される。そして、移動局は、２回目のＡＣＫ信号／ＮＡＣＫ信号に対応するサブフレーム区間、すなわち、２回目のＡＣＫ信号／ＮＡＣＫ信号の送信開始タイミングから約７.５スロット前に受信終了タイミングがおとずれるＨＳ−ＰＤＳＣＨのサブフレームの受信処理を停止する。繰り返し回数が３回以上の場合も同様に、２回目以降のＡＣＫ信号／ＮＡＣＫ信号の送信開始タイミングからそれぞれ約７.５スロット前に受信終了タイミングがおとずれるＨＳ−ＰＤＳＣＨのすべてのサブフレームの受信処理を停止する。つまり、移動局は、２回目以降の繰り返し回数に相当するＨＳ−ＰＤＳＣＨのサブフレームの受信処理を停止する。また、受信処理を停止させたＨＳ−ＰＤＳＣＨに対応するＨＳ−ＳＣＣＨの受信処理も停止する。すなわち、受信処理を停止させたＨＳ−ＰＤＳＣＨのサブフレームの先頭スロットと重なる最終スロットを持つＨＳ−ＳＣＣＨのサブフレームの受信処理も停止する。
【００３２】
このように、本実施の形態によれば、実施の形態１同様、ＨＳ−ＳＣＣＨおよびＨＳ−ＰＤＳＣＨの無駄な受信処理を停止するため、移動局の無駄な電力消費を抑えて消費電力を削減することができる。
【００３３】
（実施の形態３）
ＨＳＤＰＡでは、移動局がＨＳ−ＰＤＳＣＨの復号後ＡＣＫ信号／ＮＡＣＫ信号を送信するまでの間にＨＳＤＰＡサービングセルが切り替わった場合には、ＨＳ−ＰＤＳＣＨを送信した基地局とＡＣＫ信号／ＮＡＣＫ信号を受信する基地局とが異なってしまうため、ＡＣＫ信号／ＮＡＣＫ信号を受信した基地局ではどのパケットデータに関するＡＣＫ信号／ＮＡＣＫ信号かを識別できない。よって、そのようなＡＣＫ信号／ＮＡＣＫ信号は、受信した基地局にとっては無意味なＡＣＫ信号／ＮＡＣＫ信号となってしまう。また、このような場合、結局は、実施の形態１同様、切り替え後のＨＳＤＰＡサービングセルの基地局から移動局に対して、そのＡＣＫ信号／ＮＡＣＫ信号に対応するパケットデータが再送されるため、パケットロスという点からは特に問題ない。そこで本実施の形態に係る移動局では、ＨＳＤＰＡサービングセルが切り替わるタイミングまでに送信できないＡＣＫ信号／ＮＡＣＫ信号の送信を停止して、他の移動局に対する干渉を減少するようにした。さらに、本実施の形態では、ＨＳＤＰＡサービングセルが切り替わるタイミングまでにＡＣＫ信号／ＮＡＣＫ信号を送信できないパケットデータの受信処理をそもそも停止して、消費電力の低減を図るようにした。以下、本実施の形態に係る移動局について説明する。
【００３４】
まず、本実施の形態に係る移動局の構成について再び図１を用いて説明する。なお、実施の形態１と相違する部分についてのみ説明する。図１において、逆拡散後のＤＰＣＨはシグナリング検出部７１に入力され、シグナリング検出部７１は、逆拡散後のＤＰＣＨに含まれる上記シグナリングから、ＨＳＤＰＡサービングセルの切替タイミング、すなわち、ＡＣＫ信号／ＮＡＣＫ信号の送信先が他の基地局へ切り替わる切替タイミングを検出し、その切替タイミングを制御部７２に知らせる。
【００３５】
制御部７２は送信部８０に対して、シグナリング検出部７１で検出された切替タイミング以降に送信終了タイミングがおとずれるＡＣＫ信号／ＮＡＣＫ信号の送信を停止させる。ＡＣＫ信号／ＮＡＣＫ信号の送信中の場合は、その送信を途中で中止させる。また、制御部７２は、送信を停止させたＡＣＫ信号／ＮＡＣＫ信号に対応するパケットデータに対する受信処理を停止するようにＨＳ−ＰＤＳＣＨ受信処理部４０を制御する。すなわち、制御部７２は、そのＡＣＫ信号／ＮＡＣＫ信号に対応するパケットデータを伝送するＨＳ−ＰＤＳＣＨのサブフレームの受信処理を停止させる。また、パケットデータの受信を行わない場合には、そのパケットデータに対するＨＳ−ＳＣＣＨの制御情報も必要ないため、制御部７２は、受信処理を停止させたパケットデータの受信処理に必要であった制御情報に対する受信処理を停止するようにＨＳ−ＳＣＣＨ受信処理部５０を制御する。すなわち、制御部７２は、その制御情報を伝送するＨＳ−ＳＣＣＨのサブフレームの受信処理も停止させる。
【００３６】
次いで、本実施の形態に係る移動局の動作フローについて図６を用いて説明する。但し、実施の形態１と同一のステップには同一の符号をつけて説明を省略する。移動局は、ＳＴ３０の処理と並行して、ＳＴ５２〜ＳＴ７２の処理を行う。すなわち、上位レイヤからのシグナリングによってＨＳＤＰＡサービングセルの切替タイミングを検出する（ＳＴ５２）。そして、その切替タイミングまでにＡＣＫ信号／ＮＡＣＫ信号の送信を終えることができない場合、すなわち、その切替タイミングがＨＳ−ＰＤＳＣＨのサブフレームの受信開始タイミングとそのサブフレームに対応するＡＣＫ信号／ＮＡＣＫ信号の送信終了タイミングとの間にある場合（ＳＴ６２：ＮＯの場合）は、ＳＴ３０の一連の受信処理を停止するとともにＳＴ４０の送信処理を停止する（ＳＴ７２）。その後ＳＴ２０に進みＨＳ−ＳＣＣＨの監視を引き続き行う。なお、ＨＳＤＰＡサービングセルの切替タイミングまでにＡＣＫ信号／ＮＡＣＫ信号の送信を終えることができる場合（ＳＴ６２：ＹＥＳの場合）は、受信処理および送信処理を停止することなくＳＴ２０に進みＨＳ−ＳＣＣＨの監視を引き続き行う。
【００３７】
次いで、本実施の形態に係る移動局で送受する各チャネルの送受信タイミングの関係について図７を用いて説明する。ＨＳ−ＳＣＣＨのサブフレームおよびＨＳ−ＰＤＳＣＨのサブフレームはそれぞれ３スロットで構成される。ＨＳ−ＰＤＳＣＨとそのＨＳ−ＰＤＳＣＨに対応するＨＳ−ＳＣＣＨとの関係は、ＨＳ−ＰＤＳＣＨのサブフレームの先頭スロットとＨＳ−ＳＣＣＨのサブフレームの最終スロットとが重なる。つまり、ＨＳ−ＳＣＣＨのサブフレームの受信終了タイミング１スロット前のタイミングで、そのＨＳ−ＳＣＣＨに対応するＨＳ−ＰＤＳＣＨのサブフレームの受信が開始される。そして、ＨＳ−ＰＤＳＣＨのサブフレームの受信終了タイミングから約７.５スロット後のタイミングで、ＨＳ−ＤＰＣＣＨのサブフレームを用いてＨＳ−ＰＤＳＣＨのサブフレームに対するＡＣＫ信号またはＮＡＣＫ信号が送信される。また、移動局はＨＳ−ＳＣＣＨおよびＨＳ−ＰＤＳＣＨの受信と並行して、上位レイヤからのシグナリングによってＨＳＤＰＡサービングセルの切替タイミングを検出する。そして、その切替タイミングが、ＨＳ−ＰＤＳＣＨのサブフレームの受信開始タイミングとそのサブフレームに対応するＡＣＫ信号／ＮＡＣＫ信号の送信終了タイミングとの間にある場合は、そのＡＣＫ信号／ＮＡＣＫ信号の送信を停止するとともに、そのサブフレームの受信処理を停止する。つまり、送信を停止したＡＣＫ信号／ＮＡＣＫ信号の送信開始タイミングの約７.５スロット前に受信終了タイミングがあるＨＳ−ＰＤＳＣＨのサブフレームの受信処理を停止する。さらに、受信処理を停止させたＨＳ−ＰＤＳＣＨに対応するＨＳ−ＳＣＣＨの受信処理も停止する。すなわち、受信処理を停止させたＨＳ−ＰＤＳＣＨのサブフレームの先頭スロットと重なる最終スロットを持つＨＳ−ＳＣＣＨのサブフレームの受信処理も停止する。
【００３８】
このように、本実施の形態によれば、実施の形態１同様、ＨＳ−ＳＣＣＨおよびＨＳ−ＰＤＳＣＨの無駄な受信処理を停止するため、移動局の無駄な電力消費を抑えて消費電力を削減することができる。また、無駄なＡＣＫ信号／ＮＡＣＫ信号の送信を停止するため、他の移動局に対する干渉を低減することができる。
【産業上の利用可能性】
【００３９】
本発明は、Ｗ−ＣＤＭＡ方式等の移動体通信システムにおいて使用される移動局装置に好適である。
【図面の簡単な説明】
【００４０】
【図１】本発明の実施の形態１に係る移動局の構成を示すブロック図
【図２】本発明の実施の形態１に係る移動局の動作フロー図
【図３】本発明の実施の形態１に係る移動局における各チャネルの送受信タイミングを示す図
【図４】本発明の実施の形態２に係る移動局の動作フロー図
【図５】本発明の実施の形態２に係る移動局における各チャネルの送受信タイミングを示す図
【図６】本発明の実施の形態３に係る移動局の動作フロー図
【図７】本発明の実施の形態３に係る移動局における各チャネルの送受信タイミングを示す図
【符号の説明】
【００４１】
１０  アンテナ
２０  共用器
３０  受信部
４０  ＨＳ−ＰＤＳＣＨ受信処理部
５０  ＨＳ−ＳＣＣＨ受信処理部
６０  ＣＰＩＣＨ逆拡散部
６１  ＳＩＲ測定部
６２  ＣＱＩ選択部
７０  ＤＰＣＨ逆拡散部
７１  シグナリング検出部
７２  制御部
８０  送信部
４０１  逆拡散部
４０２  復調部
４０３  復号部
４０４  誤り検出部
５０１  逆拡散部
５０２  復調部
５０３  復号部
５０４  判定部
【図１】
2006109519.tif 000003
【図２】
2006109519.tif 000004
【図３】
2006109519.tif 000005
【図４】
2006109519.tif 000006
【図５】
2006109519.tif 000007
【図６】
2006109519.tif 000008
【図７】
2006109519.tif 000009